(57)【要約】【課題】前部排出コンベア筒の損傷や変形を防止すると共に、接当負荷を効率よく緩衝し前部排出コンベア筒をスムーズに接当停止することができる穀粒排出装置の排出スクリューコンベヤを提供する。【解決手段】穀粒タンク６内の穀粒を排出する穀粒排出装置８の排出スクリューコンベヤ１０を、排出ガイド口筒１６を有する前部排出コンベア筒１０ａと、後端側を穀粒排出装置８の中継コンベア１２側に接続した後部排出コンベア筒１０ｂとに分割し、両者を上下向きの連結ピン１８を介して真直作業姿勢と折畳み姿勢とに切換自在に連結するに、折畳み時に前部排出コンベア筒１０ａを接当停止させるストッパ部材２０を、板状緩衝部材にすると共に、該ストッパ部材２０の板状面に排出ガイド口筒１６の側壁１６ａを平面的に接当させることにより、前部排出コンベア筒１０ａの回動を停止させる構成にした。【選択図】図２
2016077272.tif 000002
【特許請求の範囲】
【請求項１】
穀粒タンク（６）内の穀粒を排出する穀粒排出装置（８）の排出スクリューコンベヤ（１０）を、前端側に穀粒を下向きに排出案内する排出ガイド口筒（１６）を有する前部排出コンベア筒（１０ａ）と、後端側を穀粒排出装置（８）の中継コンベア（１２）側に接続した後部排出コンベア筒（１０ｂ）とに分割し、両者を折畳部（９）に設けられる上下向きの連結ピン（１８）を介して、真直状に連結した真直姿勢と、前部排出コンベア筒（１０ａ）を側方に向け折畳み回動させて後部排出コンベア筒（１０ｂ）に沿って近接させる折畳み姿勢とに切換自在に連結すると共に、前記後部排出コンベア筒（１０ｂ）側に突設したストッパ部材（２０）に、折畳み回動する前部排出コンベア筒（１０ａ）を接当停止させた状態で折畳み姿勢に固定する穀粒排出装置（８）の排出スクリューコンベヤ（１０）において、
前記後部排出コンベア筒（１０ｂ）側のストッパ部材（２０）を、可撓性及び復元性を有する厚さの板状緩衝部材にすると共に、該ストッパ部材（２０）の板状面に排出ガイド口筒（１６）の側壁（１６ａ）を平面的に接当させることにより、前部排出コンベア筒（１０ａ）の回動を停止させることを特徴とする穀粒排出装置の排出スクリューコンベヤ。
【発明の詳細な説明】
【技術分野】
【０００１】
本発明は、穀粒タンク内の穀粒を排出する穀粒排出装置の排出スクリューコンベヤに関する。
【背景技術】
【０００２】
従来、コンバインの走行機体に搭載される穀粒タンクから穀粒を排出する穀粒排出装置の排出スクリューコンベヤは、穀粒を下向きに排出案内する排出ガイド口筒を有する前部排出コンベア筒と、後端側を穀粒排出装置の中継コンベア側に接続した後部排出コンベア筒とに分割し、両者を折畳部に設けられる上下向きの連結ピンを介して、真直状に連結した真直姿勢と、前部排出コンベア筒を側方に向け折畳み回動させて後部排出コンベア筒に沿って近接させる折畳み姿勢とに切換自在に構成することが既に公知である。（例えば、特許文献１）
【先行技術文献】
【特許文献】
【０００３】
【特許文献１】特開２００３−９２９１８号公報
【発明の概要】
【発明が解決しようとする課題】
【０００４】
上記特許文献１に示される排出スクリューコンベヤは、前部排出コンベア筒を連結ピンを支点に折畳み回動して所定の折り畳み位置にするとき、該前部排出コンベア筒のコンベア筒の中途部を、後部排出コンベア筒の中途部に突設したストッパ部材（受け具）に接当させて回動を停止させると共に、この折畳み位置で上記ストッパ部材に設けたロック片に前部排出コンベア筒側のロックプレートを係合しロックさせることによって、前部排出コンベア筒の真直作業姿勢から折畳み姿勢への切換作業を行うように構成されている。
然しながら、鉄製のパイプとスクリュウ等からなる重量構造の前部排出コンベア筒は、折畳み回動終了時に大きく生ずる回動慣性力を、ストッパ部材にコンベア筒の中途を接当させて回動停止させるものであり、前部排出コンベア筒は筒中途部に大きな衝突負荷を直接的に受けながら回動停止することになる。そのため、長期の使用において前部排出コンベア筒は、ストッパ部材とコンベア筒中途との直接接触が繰り返されることに伴う、筒接当部の直接的な損傷や変形と、上記筒接当部への大きな回動慣性応力集中によって先端側が回動方向側に撓み変形を生じ易い欠点がある。またこれら変形や損傷等を防止する上で、筒を厚肉にする等の煩雑でコスト高な補強構造を要する等の課題があった。
【課題を解決するための手段】
【０００５】
上記課題を解決するための本発明は、穀粒タンク６内の穀粒を排出する穀粒排出装置８の排出スクリューコンベヤ１０を、前端側に穀粒を下向きに排出案内する排出ガイド口筒１６を有する前部排出コンベア筒１０ａと、後端側を穀粒排出装置８の中継コンベア１２側に接続した後部排出コンベア筒１０ｂとに分割し、両者を折畳部９に設けられる上下向きの連結ピン１８を介して、真直状に連結した真直姿勢と、前部排出コンベア筒１０ａを側方に向け折畳み回動させて後部排出コンベア筒１０ｂに沿って近接させる折畳み姿勢とに切換自在に連結すると共に、前記後部排出コンベア筒１０ｂ側に突設したストッパ部材２０に、折畳み回動する前部排出コンベア筒１０ａを接当停止させた状態で折畳み姿勢に固定する穀粒排出装置８の排出スクリューコンベヤ１０において、
前記後部排出コンベア筒１０ｂ側のストッパ部材２０を、可撓性及び復元性を有する厚さの板状緩衝部材にすると共に、該ストッパ部材２０の板状面に排出ガイド口筒１６の側壁１６ａを平面的に接当させることにより、前部排出コンベア筒１０ａの回動を停止させることを特徴としている。
【発明の効果】
【０００６】
請求項１に係る発明によれば、穀粒タンク内の穀粒を排出する穀粒排出装置の排出スクリューコンベヤを、前端側に穀粒を下向きに排出案内する排出ガイド口筒を有する前部排出コンベア筒と、後端側を穀粒排出装置の中継コンベア側に接続した後部排出コンベア筒とに分割し、両者を折畳部に設けられる上下向きの連結ピンを介して、真直状に連結した真直姿勢と、前部排出コンベア筒を側方に向け折畳み回動させて後部排出コンベア筒に沿って近接させる折畳み姿勢とに切換自在に連結すると共に、折畳み回動する前部排出コンベア筒を前記後部排出コンベア筒側に突設したストッパ部材に接当停止させた状態で折畳み姿勢に固定する排出スクリューコンベヤにおいて、
前記後部排出コンベア筒側のストッパ部材を、可撓性及び復元性を有する厚さの板状緩衝部材にすると共に、該ストッパ部材の板状面に排出ガイド口筒の側壁を平面的に接当させて、前部排出コンベア筒の回動を停止させるように構成したことにより、
前部排出コンベア筒は、連結ピンから穀粒排出部にわたる長いスパンを有して設けられる排出ガイド口筒を、衝突負荷をコンベア筒の中途部に応力集中させることなく軽減した状態でストッパ部材に接当するため、前部排出コンベア筒の損傷や変形を防止することができる。また上下方向に広い平坦面で形成される側壁を接当部材としてストッパ部材に面接触によって接当させるため、接当負荷を効率よく緩衝し前部排出コンベア筒をスムーズに接当停止することができる。これにより前部排出コンベア筒は、コンベア筒の肉厚を徒に厚くしたり煩雑な補強構造を要することなく、既設の排出ガイド口筒を接当部材として後部排出コンベア筒側のストッパ部材に接当させるだけの簡潔で安価な構成にすることができる。
【図面の簡単な説明】
【０００７】
【図１】本発明に係わる排出スクリューコンベヤを備えたコンバインの側面図である。
【図２】排出スクリューコンベヤの折畳み姿勢を示す斜視図である。
【図３】排出スクリューコンベヤの折畳み姿勢において、ストッパ手段の構成作用を示す断面図である。
【図４】図４の要部の構成作用を示す平面図である。
【発明を実施するための形態】
【０００８】
本発明の一実施の形態を図面に基づいて説明する。図面において符号１はコンバインであり、このコンバイン１は、左右一対のクローラ式走行装置２ａを有する走行機体２の前部に、植立穀稈を刈り取って後方に向けて搬送する刈取搬送装置３を昇降動作可能に連結し、走行機体２の左側に刈取搬送装置３から供給される刈取穀稈を脱穀選別処理する脱穀装置４を搭載し、走行機体２の右側に操縦部５と脱穀装置４から供給される穀粒を貯留する穀粒タンク６を搭載している。上記脱穀装置４の後部には、脱穀装置４から排出供給される排ワラを細断する排ワラ細断装置７を設置している。そして、穀粒タンク６の後部には、貯留された穀粒をタンク後部から機外に排出するスクリュー式の穀粒排出装置８を設置しており、穀粒排出装置８はストッパ手段９ａと固定手段９ｂを有する折畳部９を備えた本発明に係わる排出スクリューコンベヤ１０を備えている。
【０００９】
上記穀粒排出装置８について図１〜図４を参照し説明する。この穀粒排出装置８は、穀粒タンク６の底部から穀粒を後方に向けて排出移送する前後向きの底スクリュー（図示せず）と、該底スクリューから穀粒を揚送するように走行機体２に立設された縦スクリューコンベヤ１１と、該縦スクリューコンベヤ１１から穀粒を中継する中継コンベア１２と、該中継コンベア１２を介して起伏揺動及び旋回自在に縦スクリューコンベヤ１１に連接される排出スクリューコンベヤ１０等から構成されている。
【００１０】
上記排出スクリューコンベヤ１０は、前端側に穀粒を下向きに排出する穀粒排出部１３を有する前部排出コンベア筒１０ａと、後端側を中継コンベア１２に固設した後部排出コンベア筒１０ｂとを折畳部９を介して折畳自在に連結しており、各筒内部に軸支しているスクリュー１０ｃの各軸端を連結自在に構成している。この構成において排出スクリューコンベヤ１０は、前記中継コンベア１２を介して最下降された図１の実線で示す最下位置において、機体側から立設される二股状のコンベア受部材１５に、後部排出コンベア筒１０ｂの中途部下面を嵌合自在に支持するようにしている。
【００１１】
これにより排出スクリューコンベヤ１０は、前部排出コンベア筒１０ａと後部排出コンベア筒１０ｂとを、真直状に接続固定した図１に示す真直姿勢（真直作業姿勢）と、図２に示すように折畳部９を介して折畳んだ折畳み姿勢（折畳格納姿勢）とを、コンベア受部材１５によって安定的に保持される。また図３，図４に示すように、前部排出コンベア筒１０ａの先端下部に穀粒排出口１３ａを方形状に開口しており、該穀粒排出口１３ａには、その周囲を囲むように鉄板部材によって形成された方形状断面の排出ガイド口筒１６を下向きに固設（垂設）している。図示例の排出ガイド口筒１６は、その左右の側壁１６ａを前部排出コンベア筒１０ａの筒両側と略面一状をなすように所定長を有して固設していると共に、該排出ガイド口筒１６の下端外周に沿ってビニール製等の可撓性を有する排出下ガイド口筒１６ｂを取付けている。
【００１２】
次に、図１〜図４を参照し折畳部９及びストッパ手段９ａ並びに固定手段９ｂについて説明する。先ず、折畳部９は、後部排出コンベア筒１０ｂの前端上下面から前方に向けて突設される継手板１７と、前部排出コンベア筒１０ａの後端上下面から後方に向けて突設される継手板１７ａと、両者を嵌め合いした左側先端重合部に穿設される連結孔に上下向き（縦向き）に挿入して取付けられる連結ピン１８等によって構成している。また折畳部９は、上記連結ピン１８の対向側となる筒右側に、該両筒端を係脱自在に接続する図示しない係脱ロック部材を設けている。この係脱ロック部材は両筒を真直作業姿勢にロック保持をすると共に、ロック解除した状態で前部排出コンベア筒１０ａの折畳み姿勢への回動を自由にすることができる。
【００１３】
これにより排出スクリューコンベヤ１０は、上記係脱ロック部材をロック解除して前部排出コンベア筒１０ａを連結ピン１８を支点に、真直作業姿勢から左外側方に向けて回動させると、図２に示すように後部排出コンベア筒１０ｂの左側面側に近接した折畳み姿勢にすることができる。そして、折畳部９は後部排出コンベア筒１０ｂの後方基部側に、折畳み方向に回動する前部排出コンベア筒１０ａの先端部と後部排出コンベア筒１０ｂとの接当を緩衝しながら接当停止をさせるストッパ手段９ａを備え、且つ折畳部９の後方近傍には、前部排出コンベア筒１０ａを適正折畳み位置に位置決め固定をする固定手段９ｂを設けている。
【００１４】
上記ストッパ手段９ａは、前部排出コンベア筒１０ａの回動を接当停止させるストッパ部材２０を、スポンジゴム或は合成樹脂材によって弾力的に可撓性及び復元性を有する厚さで平板状に形成したブロック状の緩衝構造体としている。このストッパ部材２０は、後部排出コンベア筒１０ｂの後方側筒部の左側面に突設する位置を、折畳み姿勢における前部排出コンベア筒１０ａの先端部に垂設される前記排出ガイド口筒１６の左側側壁１６ａを平面的な接触を介して接当させる。
【００１５】
これにより前部排出コンベア筒１０ａを連結ピン１８を支点に左側方回動し、後部排出コンベア筒１０ｂ側に折畳み姿勢にするとき、ストッパ部材２０は前部排出コンベア筒１０ａの先端に垂下する排出ガイド口筒１６の側壁１６ａを、弾力性を有する広い面接触によって受け止め、この状態で後述するストッパ手段９ａを介し、前部排出コンベア筒１０ａを後部排出コンベア筒１０ｂに対し折畳み姿勢に安定よく固定することができる。
【００１６】
つまり、鉄製のパイプとスクリュウ等からなる重量構造の前部排出コンベア筒１０ａは、折畳み回動終了時に大きく生ずる回動慣性力をストッパ手段９ａの接当を介して衝突負荷として受けるが、実施形態においては上記衝突負荷を、従来のもののように前部排出コンベア筒１０ａの中途部で受けて応力集中させることなく、連結ピン１８から可及的前方に離れた長いスパンを有して先端側に構成されている接当部材としての排出ガイド口筒１６をストッパ部材２０に接当させて受けさせるものである。
【００１７】
これにより前部排出コンベア筒１０ａは、長いスパンを介して衝突負荷を小さく軽減された状態でストッパ部材２０に接当させることになるため、該衝突負荷をコンベア筒の中途部に応力集中させることなく分散することができ、前部排出コンベア筒１０ａの先端側屈曲や接当部の損傷等の発生が防止される。また側壁１６ａは上下方向に広い平坦面で形成される接当部材として利用するため、接当負荷をストッパ部材２０に面接触によって集中させることなく分散させて前部排出コンベア筒１０ａをスムーズに接当停止することができる。
【００１８】
さらに、実施形態におけるストッパ手段９ａは、上記ストッパ部材２０を平面視でＬ字状に屈曲させた取付座２１の取付け面に接着等の貼着手段によって取付けており、他片を後部排出コンベア筒１０ｂから突設させた取付片２２に重ねて、ボルト２３によって着脱自在に締着し取付けるようにしている。そして、図３，図４に示すようにストッパ部材２０は、上下方向に長く形成した下半部を排出ガイド口筒１６の左側の側壁１６ａに面接触させると共に、上方に向け延長された上半部を前部排出コンベア筒１０ａの側面に接当させるようにしている。
【００１９】
これによりストッパ手段９ａは、前部排出コンベア筒１０ａの先端がストッパ部材２０に接当するとき、ストッパ部材２０の上半部を前部排出コンベア筒１０ａの筒外周の円弧面との接当を介して湾曲状に変形させると共に、下半部を排出ガイド口筒１６の側壁１６ａの平坦面との接当を介して面接触によって押圧変形させるので、衝突負荷を上下で異なる複合変形によって緩衝性をより高めて受ける。そして、前部排出コンベア筒１０ａの接当停止時の衝撃を効率よく緩和すると共に、排出ガイド口筒１６を簡単な構成によって接当部材として利用することができる。
【００２０】
このときストッパ部材２０は、図示するように上下方向に長く形成した下半部を、排出ガイド口筒１６の左側のコーナー部１６ｃ寄りの側壁１６ａに面接触させることが望ましく、この場合には該コーナー部１６ｃ側の後側側壁１６ｄを補強部材として有効利用することができ、剛性の高いコーナー部１６ｃをさらに補強することができる。この際に、ストッパ部材２０は、上記コーナー部１６ｃから前後方向に任意長さで突出する突出片部２０ａとなるように広幅に形成することが望ましく（図４）、この場合には突出片部２０ａは上記コーナー部１６ｃに柔軟な緩衝性を有して接当すると共に、ストッパ部材２０を補強することができる等の特徴がある。
【００２１】
一方、図１，図２に示すように固定手段９ｂは、前部排出コンベア筒１０ａの後端側上面に突設する取付けピン２５に回動及び上下揺動自在に枢支されるロックレバー２６と、後部排出コンベア筒１０ｂの上面に取付けられる係合固定部材２７とによって、操縦部５側からロックレバー２６を簡単に操作することができる構成にしている。即ち、図示例のロックレバー２６は、端部に把持部２６ａを備えるレバー杆の中途部に鋸歯状の係止突起２６ｂを複数突設している。また係合固定部材２７は、上記複数の係止突起２６ｂを択一的に係合自在とする固定本体２７ａと、該固定本体２７ａの前部から上方及び後方に向けて折り返し状に形成されるレバーガイド２７ｂとを一体的に構成し、固定本体２７ａ側を後部排出コンベア筒１０ｂの前部側に固設している。
【００２２】
上記構成による固定手段９ｂは、固定本体２７ａとレバーガイド２７ｂの間に形成されるガイド溝２８内に、後方からロックレバー２６を移動挿入させた状態で、把持部２６ａを操縦部５から手前側に向け最引き操作をした位置で、係止突起２６ｂを固定本体２７ａに係合させる。これにより固定手段９ｂは、前部排出コンベア筒１０ａの排出ガイド口筒１６をストッパ部材２０に強く押接させた適正接当支持状態で前部排出コンベア筒１０ａの折畳み姿勢を安定よく保持するので、走行時のがたつき振動や位置ずれ並びに騒音の発生等を確実に防止する。
【００２３】
そして、折畳み姿勢保持を解除するときは、ロックレバー２６を逆順の操作によって係止突起２６ｂと固定本体２７ａとの係合を外しガイド溝２８から離脱させると固定解除状態にすることができる。次いで、ロックレバー２６を左外側方に向けて押動しながら前部排出コンベア筒１０ａを連結ピン１８を支点に回動させると、前部排出コンベア筒１０ａは後部排出コンベア筒１０ｂに真直状態にすることができ、前記係脱ロック部材をロック操作して元の真直作業姿勢に固定する。こののちフリーになったロックレバー２６は図１に示すように、前部排出コンベア筒１０ａに突設したレバー保持部材２９に係合保持させる。
【００２４】
次に、以上のように構成される排出スクリューコンベヤ１０を備えたコンバイン１によるコンバイン作業並びに排出スクリューコンベヤ１０の折畳み作業について説明する。先ずコンバイン１は、一般に納屋等において排出スクリューコンベヤ１０を折畳み姿勢となして格納されており、この折畳み姿勢において圃場に移動したのち、圃場内で排出スクリューコンベヤ１０を真直作業姿勢に切換えてコンバイン作業が開始される。この切換作業は、先ずロックレバー２６をストッパ手段９ａから外したのち把持部２６ａを持って押動することにより、前部排出コンベア筒１０ａを連結ピン１８を支点に図２に２点鎖線で示す矢印方向に回動させことができ、折畳部９を介し図１に示す真直作業姿勢にしてコンバイン作業を開始することができる。
【００２５】
次いで、コンバイン作業に伴い穀粒タンク６内に収容された穀粒を排出する穀粒排出作業を行う際には、コンバイン１を路上に待機しているトラック等の穀粒運搬車両の荷台に対し、排出スクリューコンベヤ１０を中継コンベア１２を支点に上昇及び旋回操作をし、穀粒排出部１３を適正排出位置に臨ませて穀粒排出装置８による穀粒排出作業を行う。次いで、穀粒排出作業を終了した時点で排出スクリューコンベヤ１０を戻し操作し、後部排出コンベア筒１０ｂをコンベア受部材１５に安定支持させた真直作業姿勢によって再びコンバイン作業を続行させ、圃場における一連のコンバイン作業を完了させる。
【００２６】
このようにしてコンバイン作業終えたのち、コンバイン１を長距離走行や畦越走行並びに機体格納を行う際に、前部排出コンベア筒１０ａの折畳み姿勢への切換作業は以下のようにして行う。即ち、上記切換作業は、レバー保持部材２９から外したロックレバー２６を押動し前部排出コンベア筒１０ａを連結ピン１８を支点に左方回動させ、且つ連結ピン１８を支点越えした時点で引き操作をし前部排出コンベア筒１０ａを右方回動させて、排出ガイド口筒１６をストッパ部材２０に接当させた状態で、ロックレバー２６をストッパ手段９ａの固定本体２７ａに係合し前部排出コンベア筒１０ａを折畳み姿勢に保持する。
【００２７】
この切換作業において、折畳み時の回動慣性により前部排出コンベア筒１０ａの排出ガイド口筒１６はストッパ部材２０に強く接当するが、ストッパ部材２０を前記可撓性及び復元性を十分に有する厚さの板状緩衝部材にすると共に、該ストッパ部材２０の板状面を排出ガイド口筒１６の側壁１６ａに平面的に接当させる構成にしていることにより、折畳み姿勢にするとき、前部排出コンベア筒１０ａの先端側でコンベア筒外周面と排出ガイド口筒１６とが、ストッパ部材２０に広い接触面を有し且つ弾力的に接当するため、前部排出コンベア筒１０ａは折畳み衝突負荷が緩衝され大きな衝撃を伴うことなく接当停止する。
【００２８】
つまり、鉄製のパイプとスクリュウ等からなる重量構造の前部排出コンベア筒１０ａは、折畳み回動終了時に大きく生ずる回動慣性力をストッパ手段９ａに接当して衝突負荷として受けるが、実施形態においては上記衝突負荷を、従来のもののように前部排出コンベア筒１０ａの中途部で受けて応力集中させることなく、連結ピン１８から可及的前方に離れた長いスパンを介して分散させながら、先端側構成されている排出ガイド口筒１６を接当部材としてストッパ部材２０に接当させて緩やかに受けさせる。
【００２９】
これにより前部排出コンベア筒１０ａは、長いスパンを介して衝突負荷を小さく軽減した状態でストッパ部材２０に接当させることになると共に、該衝突負荷をコンベア筒の中途部に応力集中させることなく分散するため、前部排出コンベア筒１０ａの先端側屈曲や接当部の損傷が防止される。また上下方向に広い平坦面で形成される側壁１６ａを接当部材として利用しているため、ストッパ部材２０に面接触によって接当負荷を集中させることなく分散させて前部排出コンベア筒１０ａを接当停止することができる。従って、本発明による折畳み方式の排出スクリューコンベヤ１０は、前部排出コンベア筒１０ａに接当用の補強構造やコンベア筒の肉厚を大きくすることなく、既設の排出ガイド口筒１６を接当部材として後部排出コンベア筒１０ｂ側のストッパ部材２０に接当させるだけの簡潔で安価な構成にすることができる。
【符号の説明】
【００３０】
１  コンバイン
６  穀粒タンク
８  穀粒排出装置
９  折畳部
９ａ  ストッパ手段
９ｂ  固定手段
１０  排出スクリューコンベヤ
１０ａ  前部排出コンベア筒
１０ｂ  後部排出コンベア筒
１６  排出ガイド口筒
１６ａ  側壁
１８  連結ピン
２０  ストッパ部材
【図１】
2016077272.tif 000003
【図２】
2016077272.tif 000004
【図３】
2016077272.tif 000005
【図４】
2016077272.tif 000006